(57)【特許請求の範囲】
【請求項１】
中間の導電接点と中間の導電接点の周りに設置された外側の導電接点とを備え、中間の導電接点と外側の導電接点とのアーク侵食抵抗性及び導電特性が異なり、通電するとき及び通電を止めるとき、中間の導電接点と外側の導電接点との接触および離間に時間差が生じ、導電接点の物理特性に従って、通電するとき、比較的アーク侵食抵抗性が強い中間の導電接点が先に接触しアークを受けてから、比較的低抵抗の比較的導電特性が良い外側の導電接点が接触し、また通電を止めるとき、比較的低抵抗の比較的導電特性が良い外側の導電接点が先に離間してから、比較的アーク侵食抵抗性が強い中間の導電接点が離間することによって電流遮断時のアークを受けるスイッチ装置であって、
第１側導電性シート（１０８）は、導電性かつ弾性を持つ材料によって構成され、延伸する内部リード（１０１）及び内部リード（１０１）の周りを覆う外側囲みリード（１０２）を備え、内部リード（１０１）は外側囲みリードに対し弾性を備え、内部リード（１０１）に第１側中間の導電接点（１１１）が設置され、外側囲みリード（１０２）に第１側外側の導電接点（１１２）が設置され、２つの接点によってスイッチ装置の第１側（１００）を構成することによって、スイッチ装置の第２側（２００）とスイッチ機能を行い、
第１側中間の導電接点（１１１）は、第１側外側の導電接点（１１２）よりアーク侵食抵抗性が強く、及び／または比較的抵抗係数が高く、及び／または比較的硬度が高い耐摩耗材からなり、一個以上の導電接点を構成し、
第１側外側の導電接点（１１２）は、抵抗係数が第１側中間の導電接点（１１１）より低く、比較的導電性が良い材料からなり、一個以上の導電接点を構成し、
第２側導電性シート（２０８）は、導電性かつ弾性を持つ材料によって構成され、第２側中間の導電接点（２１１）が設置され、第２側中間の導電接点（２１１）の周りの第２側外側の導電接点（２１２）を囲み、
第２側中間の導電接点（２１１）は、第２側外側の導電接点（２１２）よりアーク侵食抵抗性が強く、及び／または比較的抵抗係数が高く、及び／または比較的硬度が高い耐摩耗材からなり、一個以上の導電接点を構成し、
第２側外側の導電接点（２１２）は、抵抗係数が第２側中間の導電接点（２１１）より低く、比較的導電性が良い材料からなり、一個以上の導電接点を構成し、
第１側導電性シート（１０８）と第２側導電性シート（２０８）とが対向する方向を対向方向と呼び、対向方向に見たとき内部リード（１０１）が外側囲みリード（１０２）から延伸する方向を延伸方向と呼び、延伸方向に直交する方向を直交方向と呼ぶ場合において、
内部リード（１０１）は、先端が基端に対して対向方向の第２側導電性シート（２０８）側に位置するように形成されており、
第１側外側の導電接点（１１２）は、少なくとも、第１側中間の導電接点（１１１）に対して直交方向の両側に設けられており、
第１側中間の導電接点（１１１）と第２側中間の導電接点（２１１）との距離は比較的小さく、また第１側外側の導電接点（１１２）と第２側外側の導電接点（２１２）との距離は比較的大きく、
通電させるとき、スイッチ装置の第１側（１００）と第２側（２００）とを接触させる過程において、第１側中間の導電接点（１１１）が先に第２側中間の導電接点（２１１）と接触してから、第１側外側の導電接点（１１２）と第２側外側の導電接点（２１２）が接触し、
通電を止めるとき、スイッチ装置の第１側（１００）と第２側（２００）とが離間する過程において、第１側外側の導電接点（１１２）が先に第２側外側の導電接点（２１２）から離間した後、第１側中間の導電接点（１１１）が第２側中間の導電接点（２１１）から離間することを特徴とするスイッチ装置。
【請求項２】
第１側（１００）と同じ構造によって第２側（２００）を構成し、
第１側導電性シート（１０８）を備え、内部リード（１０１）に第１側中間の導電接点（１１１）を設置し、及び外側囲みリード（１０２）に第１側外側の導電接点（１１２）を設置することによって、第１側（１００）を構成し、
第２側導電性シート（２０８）を備え、内部リード（２０１）に第２側中間の導電接点（２１１）を設置し、及び外側囲みリード（２０２）に第２側外側の導電接点（２１２）を設置することによって、第２側（２００）を構成し、
第１側中間の導電接点（１１１）と第２側中間の導電接点（２１１）との距離は比較的小さく、また第１側外側の導電接点（１１２）と第２側外側の導電接点（２１２）との距離は比較的大きいことを特徴とする請求項１に記載のスイッチ装置。
【請求項３】
第１側（１００）は、内部リード（１０１）を囲むようにリング状または四角形の形を形成する外側囲みリード（１０２）を備え、外側囲みリード（１０２）と逆方向に沿って舌状に延伸する内部リード（１０１）との間に切欠きを備え、その切欠きの外縁の近くを密閉することによって外側囲みリード（１０２）が内部リード（１０１）に対して弾性を備え、かつ内部に向かって延伸する内部リード（１０１）及び第１側外側の導電接点（１１２）を備え、及び内部リード（１０１）の外側を覆う外側囲みリード（１０２）と第１側中間の導電接点（１１１）によって構成され、
第２側（２００）は、内部リード（２０１）を囲むようにリング状または四角形の形を形成する外側囲みリード（２０２）を備え、外側囲みリード（２０２）と逆方向に沿って舌状に延伸する内部リード（２０１）との間に切欠きを備え、その切欠きの外縁の近くは密閉することによって外側囲みリード（２０２）が内部リード（２０１）に対して弾性を備え、かつ内部に向かって延伸する内部リード（２０１）及び第２側外側の導電接点（２１２）を備え、及び内部リード（２０１）の外側を覆う外側囲みリード（２０２）と第２側中間の導電接点（２１１）によって構成され、
第１側中間の導電接点（１１１）と第２側中間の導電接点（２１１）との距離は比較的小さく、また第１側外側の導電接点（１１２）と第２側外側の導電接点（２１２）との距離は比較的大きく、
第１側中間の導電接点（１１１）と第２側中間の導電接点（２１１）は、比較的アーク侵食抵抗性が強い材料からなり、
第１側外側の導電接点（１１２）と第２側外側の導電接点（２１２）は、比較的低抵抗の比較的導電特性が良い材料からなり、
通電させるとき、スイッチ装置の第１側（１００）と第２側（２００）とを接触させる過程において、第１側中間の導電接点（１１１）が先に第２側中間の導電接点（２１１）と接触してから、第１側外側の導電接点（１１２）と第２側外側の導電接点（２１２）が接触し、
通電を止めるとき、スイッチ装置の第１側（１００）と第２側（２００）とを離間させる過程において、第１側外側の導電接点（１１２）が先に第２側外側の導電接点（２１２）から離間した後、第１側中間の導電接点（１１１）が第２側中間の導電接点（２１１）から離間することを特徴とする請求項１に記載のスイッチ装置。
【請求項４】
第１側（１００）は、リング状または四角形の形に形成された外側囲みリード（１０２）と、外側囲みリード（１０２）内で逆方向から中心に対して分かれて延伸するが互いに連接しない少なくとも２個の内部リード（１０１）と、各内部リード（１０１）に設けられた第１側中間の導電接点（１１１）と、外側囲みリード（１０２）に設けられた少なくとも１個の第１側外側の導電接点（１１２）によって構成され、
内部リード（１０１）は、外側囲みリード（１０２）と連結し、
内部リード（１０１）の基端の両側と外側囲みリード（１０２）との間に切欠きを備えることによって、内部リード（１０１）が外側囲みリード（１０２）に対し弾性を備え、
第２側（２００）は、リング状または四角形の形に形成された外側囲みリード（２０２）と、外側囲みリード（２０２）内で逆方向から中心に対して分かれて延伸するが互いに連接しない少なくとも２個の内部リード（２０１）と、各内部リード（２０１）に設けられた第２側中間の導電接点（２１１）と、外側囲みリード（２０２）に設けられた少なくとも１個の第２側外側の導電接点（２１２）とによって構成され、
内部リード（２０１）は、外側囲みリード（２０２）と連結し、
内部リード（２０１）の基端の両側と外側囲みリード（２０２）との間に切欠きを備えることによって、内部リード（２０１）が外側囲みリード（２０２）に対し弾性を備え、
第１側中間の導電接点（１１１）とスイッチ装置の第２側中間の導電接点（２１１）との距離は比較的小さく、また第１側外側の導電接点（１１２）とスイッチ装置の第２側外側の導電接点（２１２）との距離は比較的大きく、
第１側中間の導電接点（１１１）と第２側中間の導電接点（２１１）は、比較的アーク侵食抵抗性が強い材料からなり、
第１側外側の導電接点（１１２）と第２側外側の導電接点（２１２）は、比較的低抵抗の比較的導電特性が良い材料からなり、
通電させるとき、スイッチ装置の第１側（１００）と第２側（２００）とを接触させる過程において、第１側中間の導電接点（１１１）が先に第２側中間の導電接点（２１１）と接触してから、第１側外側の導電接点（１１２）と第２側外側の導電接点（２１２）が接触し、
通電を止めるとき、スイッチ装置の第１側（１００）と第２側（２００）とが離間する過程において、第１側外側の導電接点（１１２）が先に第２側外側の導電接点（２１２）から離間した後、第１側中間の導電接点（１１１）が第２側中間の導電接点（２１１）から離間することを特徴とする請求項１に記載のスイッチ装置。
【請求項５】
第１側中間の導電接点（１１１）、第１側外側の導電接点（１１２）、第２側中間の導電接点（２１１）、第２側外側の導電接点（２１２）の接点は、一個以上あることを特徴とする請求項１に記載のスイッチ装置。
【請求項６】
第１側中間の導電接点（１１１）、第１側外側の導電接点（１１２）、第２側中間の導電接点（２１１）および第２側外側の導電接点（２１２）は、異なる導電特性を備え、
比較的アーク侵食抵抗性が強く、及び／または比較的抵抗係数が高く、及び／または比較的硬度が高い耐摩耗材によって、第１側中間の導電接点（１１１）及び第２側中間の導電接点（２１１）を構成し、
第１側中間の導電接点（１１１）と第２側中間の導電接点（２１１）との間の距離は比較的小さく、
第１側外側の導電接点（１１２）第２側外側の導電接点（２１２）は、比較的抵抗係数が低く、比較的導電性が良い材料によって構成され、
第１側外側の導電接点（１１２）と第２側外側の導電接点（２１２）との間の距離は比較的大きいことを特徴とする請求項１に記載のスイッチ装置。
【請求項７】
中間の導電接点と中間の導電接点の周りに設置された外側の導電接点とを備え、中間の導電接点と外側の導電接点とのアーク侵食抵抗性及び導電特性が異なり、通電するとき及び通電を止めるとき、中間の導電接点と外側の導電接点との接触および離間に時間差が生じるスイッチ装置であって、
第１側導電性シート（１０８）は、導電性かつ弾性を持つ材料によって構成され、延伸する内部リード（１０１）及び内部リード（１０１）の周りを覆う外側囲みリード（１０２）を備え、内部リード（１０１）は外側囲みリードに対し弾性を備え、内部リード（１０１）に第１側中間の導電接点（１１１）が設置され、外側囲みリード（１０２）に第１側外側の導電接点（１１２）が設置され、２つの接点によってスイッチ装置の第１側（１００）を構成することによって、スイッチ装置の第２側（２００）とスイッチ機能を行い、
第１側外側の導電接点（１１２）は、第１側中間の導電接点（１１１）よりアーク侵食抵抗性が強く、及び／または比較的抵抗係数が高く、及び／または比較的硬度が高い耐摩耗材からなり、一個以上の導電接点を構成し、
第１側中間の導電接点（１１１）は、抵抗係数が第１側外側の導電接点（１１２）より低く、比較的導電性が良い材料からなり、一個以上の導電接点を構成し、
第２側導電性シート（２０８）は、導電性かつ弾性を持つ材料によって構成され、第２側中間の導電接点（２１１）が設置され、第２側中間の導電接点（２１１）の周りの第２側外側の導電接点（２１２）を囲み、
第２側外側の導電接点（２１２）は、第２側中間の導電接点（２１１）よりアーク侵食抵抗性が強く、及び／または比較的抵抗係数が高く、及び／または比較的硬度が高い耐摩耗材からなり、一個以上の導電接点を構成し、
第２側中間の導電接点（２１１）は、抵抗係数が第２側外側の導電接点（２１２）より低く、比較的導電性が良い材料からなり、一個以上の導電接点を構成し、
第１側中間の導電接点（１１１）と第２側中間の導電接点（２１１）との距離は比較的大きく、また第１側外側の導電接点（１１２）と第２側外側の導電接点（２１２）との距離は比較的小さく、
通電させるとき、スイッチ装置の第１側（１００）と第２側（２００）とを接触させる過程において、第１側外側の導電接点（１１２）が先に第２側外側の導電接点（２１２）と接触してから、第１側中間の導電接点（１１１）と第２側中間の導電接点（２１１）が接触し、
通電を止めるとき、スイッチ装置の第１側（１００）と第２側（２００）とが離間する過程において、第１側中間の導電接点（１１１）が先に第２側中間の導電接点（２１１）から離間した後、第１側外側の導電接点（１１２）が第２側外側の導電接点（２１２）から離間することを特徴とするスイッチ装置。
【請求項８】
ノーヒューズブレーカー、手動操作スイッチ、磁気駆動スイッチ、油圧制御スイッチ、空気圧制御スイッチ、機械式スイッチ、リードスイッチであることを特徴とする請求項１に記載のスイッチ装置。
【発明の詳細な説明】
【技術分野】
【０００１】
本発明は、スイッチ装置に関する。
【背景技術】
【０００２】
従来、通電時に時間差をもって接触する２つの接点を有するスイッチ装置は、各接点への導電リードを個別に備える。
【先行技術文献】
【特許文献】
【０００３】
【特許文献１】特開平１１−３０６９０９号公報
【発明の概要】
【発明が解決しようとする課題】
【０００４】
上記従来のスイッチ装置では、別々の導電リードを設けるために、相当の空間が必要であり、また通電時の動作も不安定である。
本発明は、上記の点に鑑みてなされたものであり、その目的は、設置スペースを削減可能であり、且つ通電時の動作が安定するスイッチ装置を提供することにある。
【課題を解決するための手段】
【０００５】
本発明は、中間の導電接点と中間の導電接点の周りに設置する外側の導電接点とを備え、中間の導電接点と外側の導電接点のアーク侵食抵抗性及び導電特性が異なり、通電するとき及び通電を止めるとき、中間の導電接点と外側の導電接点との接触および離間に時間差が生じるスイッチ装置であって、導電接点の物理特性に従って、通電するとき、比較的アーク侵食抵抗性が強い中間の導電接点が先に接触しアークを受けてから、比較的低抵抗であって比較的導電特性が良い外側の導電接点が接触する。また、通電を止めるとき、比較的低抵抗であって比較的導電特性が良い外側の導電接点が先に離間してから、比較的アーク侵食抵抗性が強い中間の導電接点が離間し電流遮断時のアークを受ける。したがって、上述の動作を通して、接点の電圧降下及びヒートロスを減らすことができ、特にスイッチオンするとき、外側を囲む接点構造を通して接点間がオンするときに比較的安定したアーク状態を提供することができる。
【図面の簡単な説明】
【０００６】
【図１】本発明の第１実施形態によるスイッチ装置の模式図である。
【図２】図１のスイッチ装置の第１側導電性シートの内部リードに第１側中間の導電接点を設置し、及び外側囲みリードに第１側外側の導電接点を設置することによって構成された第１側の模式図である。
【図３】図１のスイッチ装置の第２側導電性シートに第２側中間の導電接点と第２側外側の導電接点を設置することによって構成された第２側の模式図である。
【図４】本発明の第２実施形態によるスイッチ装置の模式図である。
【図５】本発明の第３実施形態によるスイッチ装置の第１側の模式図である。
【図６】本発明の第３実施形態によるスイッチ装置の第２側の模式図である。
【図７】図５の第１側と図６の第２側との組立図である。
【図８】本発明の第４実施形態によるスイッチ装置の第１側の模式図である。
【図９】本発明の第４実施形態によるスイッチ装置の第２側の模式図である。
【図１０】図８の第１側と図９の第２側との組立図である。
【発明を実施するための形態】
【０００７】
本発明は、中間の導電接点と中間の導電接点の周りに設置する外側の導電接点とを備え、中間の導電接点と外側の導電接点のアーク侵食抵抗性及び導電特性が異なり、通電するとき及び通電を止めるとき、中間の導電接点と外側の導電接点との接触および離間に時間差が生じるスイッチ装置であって、導電接点の物理特性に従って、通電するとき、比較的アーク侵食抵抗性が強い中間の導電接点が先に接触しアークを受けてから、比較的低抵抗であって比較的導電特性が良い外側の導電接点が接触する。また、通電を止めるとき、比較的低抵抗であって比較的導電特性が良い外側の導電接点が先に離間してから、比較的アーク侵食抵抗性が強い中間の導電接点が離間し電流遮断時のアークを受ける。したがって、上述の動作を通して、接点の電圧降下及びヒートロスを減らすことができ、特にスイッチオンするとき、外側を囲む接点構造を通して接点間がオンするときに比較的安定したアーク状態を提供することができる。
【０００８】
（第１実施形態）
図１は、本発明の第１実施形態によるスイッチ装置を示す模式図である。
図２は、図１のスイッチ装置の第１側導電性シート（１０８）の内部リード（１０１）に第１側中間の導電接点（１１１）を設置し、外側囲みリード（１０２）に第１側外側の導電接点（１１２）を設置することによって構成されたスイッチ装置の第１側（１００）を示す模式図である。
【０００９】
図３は、図１のスイッチ装置の第２側導電性シート（２０８）に第２側中間の導電接点（２１１）と第２側外側の導電接点（２１２）を設置することによって構成されたスイッチ装置の第２側（２００）を示す模式図である。
【００１０】
図１、図２及び図３に示す主な構造は下記の通りである。
第１側導電性シート（１０８）は、導電性かつ弾性を持つ材料によって構成され、延伸する内部リード（１０１）及び内部リード（１０１）の周りを囲む外側囲みリード（１０２）を備える。内部リード（１０１）は、外側囲みリード（１０２）に対し弾性を備える。内部リード（１０１）には、第１側中間の導電接点（１１１）が設置されている。外側囲みリード（１０２）には、第１側外側の導電接点（１１２）が設置されている。２つの接点によってスイッチ装置の第１側（１００）が構成され、スイッチ装置の第２側（２００）とスイッチ機能を行う。
【００１１】
第１側中間の導電接点（１１１）は、第１側外側の導電接点（１１２）よりアーク侵食抵抗性が強く、及び／または比較的抵抗係数が高く、及び／または比較的硬度が高い耐摩耗材からなり、一個以上の導電接点を構成する。
第１側外側の導電接点（１１２）は、抵抗係数が第１側中間の導電接点（１１１）より低く、比較的導電性が良い材料からなり、一個以上の導電接点を構成する。
【００１２】
第２側導電性シート（２０８）は、導電性かつ弾性を持つ材料によって構成され、第２側中間の導電接点（２１１）と、第２側中間の導電接点（２１１）の周りを囲む第２側外側の導電接点（２１２）とが設置されている。
第２側中間の導電接点（２１１）は、第２側外側の導電接点（２１２）よりアーク侵食抵抗性が強く、及び／または比較的抵抗係数が高く、及び／または比較的硬度が高い耐摩耗材からなり、一個以上の導電接点を構成する。
第２側外側の導電接点（２１２）は、抵抗係数が第２側中間の導電接点（２１１）より低く、比較的導電性が良い材料からなり、一個以上の導電接点を構成する。
【００１３】
第１側中間の導電接点（１１１）と第２側中間の導電接点（２１１）との距離は比較的小さく、また第１側外側の導電接点（１１２）と第２側外側の導電接点（２１２）との距離は比較的大きい。
通電させるとき、スイッチ装置の第１側（１００）と第２側（２００）とを接触させる過程において、第１側中間の導電接点（１１１）が先に第２側中間の導電接点（２１１）と接触してから、第１側外側の導電接点（１１２）と第２側外側の導電接点（２１２）が接触する。
【００１４】
通電を止めるとき、スイッチ装置の第１側（１００）と第２側（２００）とを離間させる過程において、第１側外側の導電接点（１１２）が先に第２側外側の導電接点（２１２）から離間した後、第１側中間の導電接点（１１１）が第２側中間の導電接点（２１１）から離間する。
【００１５】
（第２実施形態）
本発明の第２実施形態によるスイッチ装置は、スイッチ装置の第１側（１００）と同じ構造によって、スイッチ装置の第２側（２００）を構成する。図４は、第１側導電性シート（１０８）の内部リード（２０１）に第１側中間の導電接点（１１１）と外側を囲む第１側外側の導電接点（１１２）とを設置することによって、第１側（１００）を構成し、また、第２側の導電性シート（２０８）の内部リード（２０１）に第２側中間の導電接点（２１１）と外側を囲む第２側外側の導電接点（２１２）とを設置することによって、第２側（２００）を構成する第２実施形態によるスイッチ装置の模式図である。
【００１６】
図４に示すように、第１側導電性シート（１０８）を備え、第１側導電性シート（１０８）を備える内部リード（１０１）に第１側外側の導電接点（１１２）を設置し、外側囲みリード（１０２）に第１側中間の導電接点（１１１）を設置することによって、スイッチ装置の第１側（１００）を構成する。また、スイッチ装置の第２側（２００）に第２側導電性シート（２０８）を設け、第２側導電性シート（２０８）を備える内部リード（２０１）に第２側中間の導電接点（２１１）を設置し、外側囲みリード（２０２）に第２側外側の導電接点（２１２）を設置することによって、スイッチ装置の第２側（２００）を構成する。また、第１側中間の導電接点（１１１）と第２側中間の導電接点（２１１）との距離、及び、第１側外側の導電接点（１１２）と第２側外側の導電接点（２１２）との距離の関係は、第１側中間の導電接点（１１１）とスイッチ装置の第２側中間の導電接点（２１１）との距離は比較的小さく、また、第１側外側の導電接点（１１２）とスイッチ装置の第２側外側の導電接点（２１２）との距離は比較的大きい。
【００１７】
（第３実施形態）
本発明の第３実施形態によるスイッチ装置の構造は下記の通りである。
第３実施形態によるスイッチ装置の第１側（１００）は、図５に示すように、内部リード（１０１）を囲むようにリング状または四角形等の形に形成された外側囲みリード（１０２）を備えている。外側囲みリード（１０２）と逆方向に沿って舌状に延伸する内部リード（１０１）との間には、切欠きを有している。その切欠きの外縁の近くを密閉することによって、外側囲みリード（１０２）が内部リード（１０１）に対して弾性を備える。図５は、逆方向に沿って舌状に延伸する内部リード（１０１）と第１側外側の導電接点（１１２）とを備え、その外側を覆う外側囲みリード（１０２）と第１側中間の導電接点（１１１）とによって構成された第１側（１００）の模式図である。
【００１８】
図６に示すように、第２側（２００）は、内部リード（２０１）を囲むようにリング状または四角形等の形に形成された外側囲みリード（２０２）を備えている。外側囲みリード（２０２）と逆方向に沿って舌状に延伸する内部リード（２０１）との間には、切欠きを有している。その切欠きの外縁の近くを密閉することによって、外側囲みリード（２０２）が内部リード（２０１）に対して弾性を備えている。また、第２側（２００）は、内部に向かって延伸する内部リード（２０１）及び第２側外側の導電接点（２１２）を備え、その外側を覆う外側囲みリード（２０２）と第２側中間の導電接点（２１１）によって構成されている。図６は、逆方向に沿って舌状に延伸する内部リード（２０１）及び第２側外側の導電接点（２１２）を備え、その外側を覆う外側囲みリード（２０２）及び第２側中間の導電接点（２１１）によって構成された第２側（２００）の模式図である。
【００１９】
図７は、図５の第１側（１００）と図６の第２側（２００）との組立模式図である。
図７に示す主な構造は下記の通りである。
スイッチ装置の第１側中間の導電接点（１１１）と第２側中間の導電接点（２１１）との距離、及び、第１側外側の導電接点（１１２）と第２側外側の導電接点（２１２）との距離の関係は、第１側中間の導電接点（１１１）とスイッチ装置の第２側中間の導電接点（２１１）との距離は比較的小さく、また、第１側外側の導電接点（１１２）とスイッチ装置の第２側外側の導電接点（２１２）との距離は比較的大きい。
【００２０】
第１側中間の導電接点（１１１）と第２側中間の導電接点（２１１）は、比較的アーク侵食抵抗性が強い材料からなる。
第１側外側の導電接点（１１２）と第２側外側の導電接点（２１２）は、比較的低抵抗であり且つ比較的導電特性が良い材料からなる。
【００２１】
通電させるとき、スイッチ装置の第１側（１００）と第２側（２００）とを接触させる過程において、第１側中間の導電接点（１１１）が先に第２側中間の導電接点（２１１）と接触してから、第１側外側の導電接点（１１２）と第２側外側の導電接点（２１２）とが接触する。
【００２２】
通電を止めるとき、スイッチ装置の第１側（１００）と第２側（２００）とを離間させる過程において、第１側外側の導電接点（１１２）が先に第２側外側の導電接点（２１２）から離間した後、第１側中間の導電接点（１１１）が第２側中間の導電接点（２１１）から離間する。
【００２３】
（第４実施形態）
第４実施形態によるスイッチ装置の構造は下記の通りである。
第４実施形態によるスイッチ装置の第１側（１００）は、図８に示すように、リング状または四角形等の形に形成された外側囲みリード（１０２）と、外側囲みリード（１０２）内で逆方向から中心に対して分かれて延伸するが互いに連接しない２個の内部リード（１０１）と、第１側外側の導電接点（１１２）と、第１側中間の導電接点（１１１）とによって構成されている。内部リード（１０１）は、外側囲みリード（１０２）と連結する。内部リード（１０１）の基端の両側と外側囲みリード（１０２）との間に切欠きを備えることによって、内部リード（１０１）が外側囲みリード（１０２）に対し弾性を備える。図８は、逆方向から中心に対して分かれて延伸するが互いに連接しない２個の内部リード（１０１）と第１側外側の導電接点（１１２）とを備え、その外側を覆う外側囲みリード（１０２）及び第１側中間の導電接点（１１１）によって構成された第１側（１００）の模式図である。
【００２４】
図９に示すように、第２側（２００）は、リング状または四角形等の形に形成された外側囲みリード（２０２）と、外側囲みリード（２０２）内で逆方向から中心に対して分かれて延伸するが互いに連接しない２個の内部リード（２０１）と、第２側外側の導電接点（２１２）と、第２側中間の導電接点（２１１）とによって構成されている。内部リード（２０１）は第２側導電性シート（２０８）の根部と連接し、また外側囲みリード（２０２）と連接する。内部リード（２０１）の基端の両側と外側囲みリード（２０２）との間に切欠きを備えることによって、内部リード（２０１）が外側囲みリード（２０２）に対し弾性を備える。図９は、逆方向から中心に対して分かれて延伸するが互いに連接しない２個の内部リード（２０１）及び第２側外側の導電接点（２１２）を備え、その外側を覆う外側囲みリード（２０２）及び第２側中間の導電接点（２１１）によって構成された第２側（２００）の模式図である。
【００２５】
図１０は、図８の第１側（１００）と図９の第２側（２００）との組立模式図である。
図１０に示す主な構造は下記の通りである。
スイッチ装置の第１側中間の導電接点（１１１）と第２側中間の導電接点（２１１）との距離、及び、第１側外側の導電接点（１１２）と第２側外側の導電接点（２１２）との距離の関係は、第１側中間の導電接点（１１１）とスイッチ装置の第２側中間の導電接点（２１１）との距離は比較的小さく、また第１側外側の導電接点（１１２）とスイッチ装置の第２側外側の導電接点（２１２）との距離は比較的大きい。
【００２６】
第１側中間の導電接点（１１１）と第２側中間の導電接点（２１１）は、比較的アーク侵食抵抗性が強い材料からなる。
第１側外側の導電接点（１１２）と第２側外側の導電接点（２１２）は、比較的低抵抗であり且つ比較的導電特性が良い材料からなる。
【００２７】
通電させるとき、スイッチ装置の第１側（１００）と第２側（２００）とを接触させる過程において、第１側中間の導電接点（１１１）が先に第２側中間の導電接点（２１１）と接触してから、第１側外側の導電接点（１１２）と第２側外側の導電接点（２１２）が接触する。
【００２８】
通電を止めるとき、スイッチ装置の第１側（１００）と第２側（２００）とを離間させる過程において、第１側外側の導電接点（１１２）が先に第２側外側の導電接点（２１２）から離間した後、第１側中間の導電接点（１１１）が第２側中間の導電接点（２１１）から離間する。
【００２９】
上述した各実施形態によるスイッチ装置は、以下の構造への応用を含む。
本発明の他の実施形態では、第１側中間の導電接点（１１１）、第１側外側の導電接点（１１２）、第２側中間の導電接点（２１１）、第２側外側の導電接点（２１２）の接点は、一個以上によって構成されることができる。
【００３０】
本発明の他の実施形態では、第１側中間の導電接点（１１１）、第１側外側の導電接点（１１２）、第２側中間の導電接点（２１１）および第２側外側の導電接点（２１２）は、異なる導電特性を備えていてもよい。つまり、比較的アーク侵食抵抗性が強く、及び／または比較的抵抗係数が高く、及び／または比較的硬度が高い耐摩耗材から第１側中間の導電接点（１１１）及び第２側中間の導電接点（２１１）を構成してもよく、また第１側中間の導電接点（１１１）と第２側中間の導電接点（２１１）との間の距離が比較的小さくてもよい。
【００３１】
また、第１側外側の導電接点（１１２）と第２側外側の導電接点（２１２）は、比較的抵抗係数が低く、比較的導電性が良い材料によって構成されてもよい。また、第１側外側の導電接点（１１２）と第２側外側の導電接点（２１２）との間の距離が比較的大きくてもよい。
【００３２】
本発明の他の実施形態では、第１側中間の導電接点（１１１）、第２側中間の導電接点（２１１）、第１側外側の導電接点（１１２）および第２側外側の導電接点（２１２）は、異なる導電特性を備えていてもよい。つまり、比較的抵抗係数が低く、比較的導電性が良い材料から第１側中間の導電接点（１１１）と第２側中間の導電接点（２１１）を構成してもよい。また、第１側中間の導電接点（１１１）と第２側中間の導電接点（２１１）との間の距離が比較的大きくてもよい。
【００３３】
また、第１側外側の導電接点（１１２）と第２側外側の導電接点（２１２）は、比較的耐アーク腐食及び／または比較的抵抗係数が高く、及び／または比較的硬度が高い耐摩耗材によって構成されてもよい。また、第１側外側の導電接点（１１２）と第２側外側の導電接点（２１２）との間の距離が比較的小さくてもよい。
【００３４】
本発明のスイッチング装置は、例えば、ノーヒューズブレーカー（ＮＦＢ）、手動操作スイッチ、磁気駆動スイッチ、油圧制御スイッチ、空気圧制御スイッチ、機械式スイッチ、リードスイッチへの応用を含む。
【符号の説明】
【００３５】
１００：スイッチ装置の第１側
１０１：内部リード
１０２：外側囲みリード
１０８：第１側導電性シート
１１１：第１側中間の導電接点
１１２：第１側外側の導電接点
２００：スイッチ装置の第２側
２０１：内部リード
２０２：外側囲みリード
２０８：第２側導電性シート
２１１：第２側中間の導電接点
２１２：第２側外側の導電接点
【図１】
0005937824.tif 000002
【図２】
0005937824.tif 000003
【図３】
0005937824.tif 000004
【図４】
0005937824.tif 000005
【図５】
0005937824.tif 000006
【図６】
0005937824.tif 000007
【図７】
0005937824.tif 000008
【図８】
0005937824.tif 000009
【図９】
0005937824.tif 000010
【図１０】
0005937824.tif 000011